(57)【要約】【課題】目標時間までに目標地点を通過するための報知をすることができる。【解決手段】電子時計１００は、表示装置１０４と、目標地点までの目標時間と目標時間に対する報知時間とを設定し、時間の計測を指示する入力装置１０５と、指示に応じて時間を計測し、計測した時間を表示装置１０４に表示するＣＰＵ１０１と、時間が計測されている際に、目標時間の報知時間になると報知する報音装置１０６とを備える。【選択図】図１
2014106047.tif 000002
【特許請求の範囲】
【請求項１】
表示部と、
目標地点までの目標時間を設定する目標時間設定部と、
前記目標時間に対する報知時間を設定する報知時間設定部と、
時間の計測を指示する計測指示部と、
前記計測指示部による指示に応じて、時間を計測する時間計測部と、
前記時間計測部が計測した時間を前記表示部に表示する表示制御部と、
前記時間計測部により時間が計測されている際に、前記目標時間の報知時間になると報知する報知部と、
を備えることを特徴とする電子時計。
【請求項２】
前記目標時間までの残時間を計測するタイマ部を備え、
前記表示制御部は、前記タイマ部が計測した前記残時間を前記表示部に表示する
ことを特徴とする請求項１に記載の電子時計。
【請求項３】
前記目標地点までの距離を設定する距離設定部と、
前記計測指示部により計測の指示がされると、前記目標地点までの距離と前記目標時間とに基づいて、前記目標地点を前記目標時間までに通過するためのペースを算出するペース算出部と、
を備え、
前記表示制御部は、前記ペース算出部が算出した前記ペースを前記表示部に表示する
ことを特徴とする請求項１または請求項２に記載の電子時計。
【請求項４】
前記目標地点までの距離を設定する距離設定部と、
使用者の歩数を検出する歩数検出部と、
前記歩数検出部が検出した歩数に基づいて、前記使用者が歩行した距離または走行した距離である歩行走行距離を算出する歩行走行距離算出部と、
前記目標地点までの距離と前記歩行走行距離算出部が算出した歩行走行距離とに基づいて、前記使用者の現在位置から前記目標地点までの残距離を算出する残距離算出部と、
を備え、
前記表示制御部は、前記残距離算出部が算出した前記目標地点までの残距離を前記表示部に表示する
ことを特徴とする請求項１から請求項３のいずれか１項に記載の電子時計。
【請求項５】
前記使用者の歩幅を設定する歩幅設定部を備え、
前記歩行走行距離算出部は、前記歩幅設定部において設定された歩幅と前記歩数検出部が検出した歩数とに基づいて、前記歩行走行距離を算出する
ことを特徴とする請求項４に記載の電子時計。
【請求項６】
前記目標時間までの残時間と前記目標地点までの残距離とに基づいて、前記目標時間内に前記目標地点を通過するためのペースを算出するペース算出部を備え、
前記表示制御部は、前記ペース算出部が算出したペースを前記表示部に表示する
ことを特徴とする請求項４または請求項５に記載の電子時計。
【請求項７】
前記目標時間の設定は、時刻で設定するか時間で設定するかを選択可能である
ことを特徴とする請求項１から請求項６のいずれか１項に記載の電子時計。
【請求項８】
アラームを設定するためのアラーム設定モードを有し、
前記目標時間設定部は、前記目標時間をストップウォッチ連動アラームとして前記アラーム設定モードで設定し、
前記報知部は、前記目標時間が前記ストップウォッチ連動アラームとして設定されている場合、前記目標時間のアラームが動作しているときであって、前記時間計測部が時間を計測するストップウォッチが動作しているときにのみ報知する
ことを特徴とする請求項１から請求項７のいずれか１項に記載の電子時計。
【請求項９】
前記報知部は、前記目標時間より前記報知時間前に報知する
ことを特徴とする請求項８に記載の電子時計。
【請求項１０】
前記表示制御部は、通常のアラームの動作中と前記ストップウォッチ連動アラームの動作中とでそれぞれ異なるマークを前記表示部に表示する
ことを特徴とする請求項８または請求項９に記載の電子機器。
【請求項１１】
前記計測指示部は、前記目標時間までの計時であるタイマを開始する第１の計時開始手段と、前記時間計測部が時間を計測するストップウォッチを開始する第２の計時開始手段とを有する
ことを特徴とする請求項１から請求項１０のいずれか１項に記載の電子時計。
【請求項１２】
前記目標時間は、マラソン大会等で設定される各関門の制限時刻に対応する時刻で設定する
ことを特徴とする請求項１から請求項１１のいずれか１項に記載の電子時計。
【請求項１３】
コンピュータに、
目標地点までの目標時間を設定するステップと、
前記目標時間に対する報知時間を設定するステップと、
時間の計測を指示するステップと、
前記指示に応じて、時間を計測するステップと、
前記計測した時間を表示部に表示するステップと、
前記時間が計測されている際に、前記目標時間の報知時間になると報知するステップと、
を実行させるためのプログラム。
【発明の詳細な説明】
【技術分野】
【０００１】
本発明は、電子時計およびプログラムに関する。
【背景技術】
【０００２】
従来から、目標時間を予め設定し、ストップウォッチ計測中に目標時間に達した時に報音するストップウォッチ装置がある（例えば、特許文献１参照）。このようなストップウォッチ装置の動作例をランニングで使用する場面を想定して説明する。例えば、使用者は、１ｋｍあたり６分のペースで走行する場合、目標時間として６分と設定し、１ｋｍ毎にラップ時間計測操作を行い自分の走行記録をとる。ストップウォッチ装置は、ストップウォッチの開始操作がされると、ストップウォッチによる計時を開始し、同時に６分のタイマで減算を始める。そして、ストップウォッチ装置は、６分に達すると報音を行い、タイマは報音後も減算を続け目標時間に対してオーバーした時間を計測する。ストップウォッチ装置は、使用者がラップ時間計測操作を行うとラップ時間と目標時間に対してオーバーした時間とを記憶領域に記憶する。また、ストップウォッチ装置は、ラップ時間計測操作が目標時間に達する前に行われると、ラップ時間と目標時間の残りの時間とを記憶領域に記憶する。使用者は、ラップ時間計測操作を繰り返してゴールまで到達しストップウォッチの停止操作をして終了となる。なお、目標時間は一つではなく、第１ラップ目標時間、第２ラップ目標時間のようにラップごとに設定できる製品もある。
【先行技術文献】
【特許文献】
【０００３】
【特許文献１】特開平９−７２９７３号公報
【発明の概要】
【発明が解決しようとする課題】
【０００４】
しかしながら、特許文献１に記載の技術では、近年増加している完走を目指してマラソンに挑戦するランナーが使用するには適さないという問題がある。これらマラソン大会では、道路などの使用許可時間の都合から、ゴールの時間制限や一定時間内に通過しなければ競技を中止させる地点を設けている。これは関門と呼ばれ、事前に主催者から距離と時刻が周知される。これら関門の閉鎖時間を越えると最後まで走っても、公式に完走とはならないため、関門まであとわずかなところで完走を断念するランナーは多い。特許文献１に記載のストップウォッチ装置で目標時間を設定すると、目標時間に達した時に報音されるだけである。このため、特許文献１に記載のストップウォッチ装置を、走行のペースをあげて制限時間内に関門を通過するために使用することはできなかった。
【０００５】
そこで、本発明は上述の事情を鑑みてなされたものであり、目標時間までに目標地点を通過するための報知をすることができる電子時計およびプログラムを提供することを目的とする。
【課題を解決するための手段】
【０００６】
本発明は、表示部と、目標地点までの目標時間を設定する目標時間設定部と、前記目標時間に対する報知時間を設定する報知時間設定部と、時間の計測を指示する計測指示部と、前記計測指示部による指示に応じて、時間を計測する時間計測部と、前記時間計測部が計測した時間を前記表示部に表示する表示制御部と、前記時間計測部により時間が計測されている際に、前記目標時間の報知時間になると報知する報知部と、を備えることを特徴とする電子時計である。
【０００７】
また、本発明の電子時計において、前記目標時間までの残時間を計測するタイマ部を備え、前記表示制御部は、前記タイマ部が計測した前記残時間を前記表示部に表示することを特徴とする。
【０００８】
また、本発明の電子時計において、前記目標地点までの距離を設定する距離設定部と、前記計測指示部により計測の指示がされると、前記目標地点までの距離と前記目標時間とに基づいて、前記目標地点を前記目標時間までに通過するためのペースを算出するペース算出部と、を備え、前記表示制御部は、前記ペース算出部が算出した前記ペースを前記表示部に表示することを特徴とする。
【０００９】
また、本発明の電子時計において、前記目標地点までの距離を設定する距離設定部と、使用者の歩数を検出する歩数検出部と、前記歩数検出部が検出した歩数に基づいて、前記使用者が歩行した距離または走行した距離である歩行走行距離を算出する歩行走行距離算出部と、前記目標地点までの距離と前記歩行走行距離算出部が算出した歩行走行距離とに基づいて、前記使用者の現在位置から前記目標地点までの残距離を算出する残距離算出部と、を備え、前記表示制御部は、前記残距離算出部が算出した前記目標地点までの残距離を前記表示部に表示することを特徴とする。
【００１０】
また、本発明の電子時計において、前記使用者の歩幅を設定する歩幅設定部を備え、前記歩行走行距離算出部は、前記歩幅設定部において設定された歩幅と前記歩数検出部が検出した歩数とに基づいて、前記歩行走行距離を算出することを特徴とする。
【００１１】
また、本発明の電子時計において、前記目標時間までの残時間と前記目標地点までの残距離とに基づいて、前記目標時間内に前記目標地点を通過するためのペースを算出するペース算出部を備え、前記表示制御部は、前記ペース算出部が算出したペースを前記表示部に表示することを特徴とする。
【００１２】
また、本発明の電子時計において、前記目標時間の設定は、時刻で設定するか時間で設定するかを選択可能であることを特徴とする。
【００１３】
また、本発明の電子時計において、アラームを設定するためのアラーム設定モードを有し、前記目標時間設定部は、前記目標時間をストップウォッチ連動アラームとして前記アラーム設定モードで設定し、前記報知部は、前記目標時間が前記ストップウォッチ連動アラームとして設定されている場合、前記目標時間のアラームが動作しているときであって、前記時間計測部が時間を計測するストップウォッチが動作しているときにのみ報知することを特徴とする。
【００１４】
また、本発明の電子時計において、前記報知部は、前記目標時間より前記報知時間前に報知することを特徴とする。
【００１５】
また、本発明の電子時計において、前記表示制御部は、通常のアラームの動作中と前記ストップウォッチ連動アラームの動作中とでそれぞれ異なるマークを前記表示部に表示することを特徴とする。
【００１６】
また、本発明の電子時計において、前記計測指示部は、前記目標時間までの計時であるタイマを開始する第１の計時開始手段と、前記時間計測部が時間を計測するストップウォッチを開始する第２の計時開始手段とを有することを特徴とする。
【００１７】
また、本発明の電子時計において、前記目標時間は、マラソン大会等で設定される各関門の制限時刻に対応する時刻で設定することを特徴とする。
【００１８】
また、本発明は、コンピュータに、目標地点までの目標時間を設定するステップと、前記目標時間に対する報知時間を設定するステップと、時間の計測を指示するステップと、前記指示に応じて、時間を計測するステップと、前記計測した時間を表示部に表示するステップと、前記時間が計測されている際に、前記目標時間の報知時間になると報知するステップと、を実行させるためのプログラムである。
【発明の効果】
【００１９】
本発明によれば、目標時間に対する報知時間を設定し、時間を計測している際に目標時間の報知時間になると報知する。これにより、目標時間までに目標地点を通過するための報知をすることができる。例えば、目標時間を１２時１５分と設定し、報知時間を１０分前と設定した場合、１２時０５分になると報知する。これにより、マラソン大会に参加している使用者は、あと１０分で関門が閉鎖することを知ることができるため、完走するためにペースを上げる等の努力をして完走率を高めることができる。
【図面の簡単な説明】
【００２０】
【図１】本発明の第１の実施形態電子時計の外観構成を示す正面図である。
【図２】本発明の第１の実施形態電子時計の構成を示したブロック図である。
【図３】本発明の第１の実施形態における電子時計における目標時間および事前報知時間の設定方法を説明するための図である。
【図４】本発明の第１の実施形態における電子時計が実行する設定処理の処理手順を示したフローチャートである。
【図５】本発明の第１の実施形態における電子時計が実行する計測処理の処理手順を示したフローチャートである。
【図６】本発明の第２の実施形態における電子時計が実行する設定処理の処理手順を示したフローチャートである。
【図７】本発明の第２の実施形態における電子時計が実行する計測処理の処理手順を示したフローチャートである。
【図８】本発明の第３の実施形態における電子時計の構成を示したブロック図である。
【図９】本発明の第３の実施形態における電子機器が実行する計測処理の処理手順を示したフローチャートである。
【発明を実施するための形態】
【００２１】
（第１の実施形態）
以下、本発明の第１の実施形態について、図面を参照しながら説明する。本実施形態では、電子機器の一例として、電子時計の例を用いて説明する。図１は、本実施形態における電子時計１００の外観構成を示す正面図である。電子時計１００は、現在の日時を計時する時計機能と、操作に応じて時間を計測するストップウォッチ機能と、目標時間までの時間を計測するタイマ機能とを有する時計である。電子時計１００は、目標時間と事前報知時間とを設定可能であり、ストップウォッチ機能で計測中に、設定した目標時間より事前報知時間だけ早い時間なると報知する。
【００２２】
電子時計１００は、計時した日時を表示するための時計モードと、ストップウォッチ機能で時間を計測するためのストップウォッチ計測モードと、目標時間と事前報知時間とを設定するためのストップウォッチ修正モードとの３つの動作モードを有する。図示するように、電子時計１００は、複数（本実施形態では４つ）のボタンＡ〜Ｄと、表示装置１０４とを含んで構成される。ボタンＡ〜Ｄは、操作入力を受け付ける入力装置である。各ボタンＡ〜Ｄの機能は後述する。表示装置１０４は、液晶ディスプレイや有機ＥＬ（Ｅｌｅｃｔｒｏ−Ｌｕｍｉｎｅｓｃｅｎｃｅ）ディスプレイ等の表示装置である。
【００２３】
図２は、本実施形態における電子時計１００の構成を示したブロック図である。図示する例では、電子時計１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、表示装置１０４と、入力装置１０５と、報音装置１０６と、発振素子１０７と、電源１０８とを備える。
【００２４】
ＣＰＵ１０１は、電子時計１００を構成する各電子回路要素の制御や計時動作等を行う。ＣＰＵ１０１は、発振素子１０７とともに構成する発振回路が発生する所定周波数の信号（計時の基準となる時計信号）を計数して計時動作を行う。ＣＰＵ１０１及び発振素子１０７は、時間を計測する時間計測部（ストップウォッチ機能）と、目標時間までの残時間を計測するタイマ部（タイマ機能）と、日時を計時する計時部（時計機能）とを構成する。また、ＣＰＵ１０１（表示制御部）は、目標時間までの残時間と、時間計測部が計測した計測時間とを表示装置１０４に表示する。
【００２５】
入力装置１０５は、ボタンＡ〜Ｄを備え、ストップウォッチ機能による計時を開始するストップウォッチ計時開始操作や、ストップウォッチ機能による計時を停止するストップウォッチ停止操作、ラップタイムの記録を指示するラップ時間計測操作等の操作入力を受け付ける。入力装置１０５は、ＣＰＵ１０１とともに、目標地点までの目標時間（制限時刻や制限時間）を設定する目標時間設定部、目標時間に対する報知時間を設定する報知時間設定部、ストップウォッチ機能による時間の計測を指示する計測指示部、ラップタイムの記録を指示するラップタイム指示部を構成する。
【００２６】
表示装置１０４には、ストップウォッチ機能による計測時間や目標時間、目標時間までの残り時間（以下、残時間とする。）等を表示する。目標時間までの残時間は、制限時間と計測時間（もしくは制限時刻と現時刻）からＣＰＵ１０１によって演算される。報音装置１０６（報知部）は、ストップウォッチ機能により時間が計測されている際に、目標時間より事前報知時間だけ早い時間になると報音する。また、ストップウォッチ機能により時間が計測されている際に、制限時間と計測時間（もしくは制限時刻と現時刻）から演算された残時間がゼロになった時に報音する。
【００２７】
ＲＯＭ１０２は、ＣＰＵ１０１が実行するプログラム等を記憶する読み出し専用メモリである。ＲＡＭ１０３は、計測したデータや設定したデータ等を記憶するランダムアクセスメモリである。ＲＯＭ１０２及びＲＡＭ１０３は記憶部を構成している。記憶部には、目標時間（制限時間または制限時刻）、事前報知時間、ストップウォッチ機能による計測時間、目標時間までの残時間（制限時間から計測時間を差し引いた時間または制限時刻から現時刻を差し引いた時間）を記憶することができる。また記憶部には、ラップタイム指示部によって指示された時点のラップタイムを記憶することができる。電源１０８は、電子時計１００を構成する各電子回路要素に電力を供給する。
【００２８】
次に、図３を参照して、目標時間と事前報知時間の設定方法について説明する。図３は、本実施形態による電子時計１００における目標時間および事前報知時間の設定方法を説明するための図である。まず、各動作モード時における電子時計１００の状態について説明する。電子時計１００は、時計モード（状態１）において、時計モードを示すマーク「TIME」と、現在の日時「MON-25 10:08:59」とを表示装置１０４に表示する。また、時計モードにおいて、ボタンＡは、動作モードをストップウォッチ計測モードに遷移させる操作入力を受け付ける。また、時計モードにおいて、ボタンＢは、現在の日時を修正する操作入力を受け付ける。また、時計モードにおいて、ボタンＣおよびボタンＤは無機能である。
【００２９】
電子時計１００は、時計モードにおいて、ボタンＡが押下されると、ストップウォッチ計測モード（状態２）に遷移する。電子時計１００は、ストップウォッチ計測モードにおいて、ストップウォッチ計測モードを示すマーク「STW」と、残時間「00:00'（時：分）」と、計測時間「00:00':00"（時：分：秒）」とを表示装置１０４に表示する。また、ストップウォッチ計測モードにおいて、ボタンＡは、動作モードを遷移させる操作入力を受け付ける。また、ストップウォッチ計測モードにおいて、ボタンＢは、動作モードをストップウォッチ修正モードに遷移させる操作入力を受け付ける。また、ストップウォッチ計測モードにおいて、ボタンＣは、ストップウォッチ機能による計測のスタート（開始）またはストップ（終了）の操作入力を受け付ける。また、ストップウォッチ計測モードにおいて、ボタンＤは、ラップタイムの記録またはリセットの操作入力を受け付ける。
【００３０】
電子時計１００は、ストップウォッチ計測モードにおいて、ボタンＢが押下されると、ストップウォッチ修正モード（状態３）に遷移する。電子時計１００は、ストップウォッチ計測モードにおいて、ストップウォッチ修正モードを示すマーク「STW」と、目標地点を示すマーク「CP1」と、目標地点までの目標時間「00:00'（時：分）」とを表示装置１０４に表示する。また、ストップウォッチ修正モードにおいて、ボタンＡは、無機能である。また、ストップウォッチ修正モードにおいて、ボタンＢは、ストップウォッチ計測モードに戻る操作入力を受け付ける。また、ストップウォッチ修正モードにおいて、ボタンＣは、選択する操作入力を受け付ける。また、ストップウォッチ修正モードにおいて、ボタンＤは、セットする操作入力を受け付ける。
【００３１】
次に、電子時計１００において、ストップウォッチ計測モード（状態２）から目標時間および事前報知時間を設定する手順を説明する。なお、目標時間は、時刻で設定できるようにしてもよいし、時間で設定できるようにしてもよい。以下、使用者が参加するマラソン大会の各関門（目標地点）の閉鎖時間（制限時間）を目標時間として設定する場合を例に説明する。（Ａ１）まず、使用者は、ストップウォッチ計測モード時にボタンＢを押下し、電子時計１００をストップウォッチ修正モードに遷移させる（状態３）。（Ａ２）続いて、使用者は、１つ目の関門（ＣＰ１）の制限時間を設定する。具体的には、使用者は、制限時間「00:00'」の時桁が点滅するため、制限時間の時桁をＤボタンでセットする。（Ａ３）そして、使用者は、制限時間の時桁をセットしＣボタンを押下すると、制限時間の分桁が点滅するため、制限時間の分桁をＤボタンでセットする（状態４）。
【００３２】
（Ａ４）続いて、使用者は、１つ目の関門（ＣＰ１）の第１の事前報知時間を設定する。本例では、事前報知時間の最大値は５９分である。なお、本例では、事前報知時間の最大値を５９分としたが、これに限らず、事前報知時間の最大値を１時間以上にしてもよい。制限時間の分桁をセットしＣボタンを押下すると、事前報知時間の時桁に「b1」、分桁に「00」が表示され、分桁は点滅する。使用者は、Ｄボタンで０〜５９分のいずれかをセットする（状態５）。
【００３３】
（Ａ５）続いて、使用者は、１つ目の関門（ＣＰ１）の第２の事前報知時間を設定する。第２の事前報知時間の設定手順は、第１の事前報知時間の設定手順と同様である。設定する事前報知時間の数は、１つでもよいし複数でもよい。ただし、各事前報知時間は、異なる時間に設定される。例えば、第１の事前報知時間を「３０分」に設定し、第２の事前報知時間を「１０分」に設定する等が考えられる。（Ａ６）続いて、使用者は、Ｃボタンを押下して、２つ目の関門（ＣＰ２）の制限時間と事前報知時間とを設定する。２つ目の関門の制限時間と事前報知時間との設定手順は１つ目の関門の制限時間と事前報知時間との設定手順と同様である。制限時間を設定する関門の数は、１つでもよいし複数でもよい。
【００３４】
使用者は、全ての関門の制限時間と事前報知時間とを設定すると、Ｂボタンを押下して電子時計１００をストップウォッチ計測モードに戻す（状態６）。電子時計１００は、制限時間と事前報知時間が設定されている場合、ストップウォッチ計測モードにおいて、設定された制限時間「02:00'」と、事前報知時間が設定されているマーク「TARGET:on」とを表示装置１０４に表示する。
【００３５】
次に、ストップウォッチの計測手順について説明する。まず、目標時間を制限時刻で設定した場合について説明する。（Ａ１１）使用者は、ストップウォッチ計測モードにおいて、スタート地点通過時にＣボタンを押下してストップウォッチ計時開始操作をする。電子時計１００は、上段に１番目の関門までの制限時間までの残時間（制限時刻から現時刻を減算した時間）を表示装置１０４に表示するとともに、下段にストップウォッチ機能による計測時間（スタート地点通過時からの経過時間）を表示装置１０４に表示する。
【００３６】
（Ａ１２）電子時計１００は、現在時刻が、制限時刻の事前報知時間になると報音装置１０６により報音する。これにより、使用者は、マラソン大会の距離掲示により何キロ地点を通過し、あと何キロで関門か把握できているので、事前報知時間が設定されていれば、自身の走力と残時間、残距離から走行ペースを上げずに走行を続けても、制限時間内に関門を通過できるか、ペースをあげないと通過できないのか、通過の可能性が無いのか判断することができる。（Ａ１３）使用者は、第１の関門を通過する際にＤボタンを押下してラップ時間計測操作を行う。この操作に応じて、電子時計１００は、上段の表示を第２の関門までの残時間に切り替える。以下、ゴールまで（Ａ１１）から（Ａ１３）までの操作を繰り返し、ゴール地点通過時にＣボタンを押下してストップウォッチ停止操作をする。
【００３７】
次に、目標時間を制限時間で設定した場合におけるストップウォッチの計測手順について説明する。（Ｂ１１）使用者は、ストップウォッチ計測モードにおいて、マラソン大会の号砲に合わせてＣボタンを押下してストップウォッチ計時開始操作を行う。電子時計１００は、上段に第１の関門までの制限時間までの時間（制限時間から計測時間を減算した時間）を表示装置１０４に表示するとともに、下段にはストップウォッチ機能による計測時間（号砲からの経過時間）を表示する。（Ｂ１２）電子時計１００は、制限時間までの残時間が事前報知時間になると報音装置１０６により報音する。（Ｂ１３）使用者は、第１の関門を通過する際にＤボタンを押下してラップ時間計測操作を行う。この操作に応じて、電子時計１００は、上段の表示を第２の関門までの残時間に切り替える。以下、ゴールまで（Ｂ１１）から（Ｂ１３）までの操作を繰り返し、ゴール地点通過時にＣボタンを押下してストップウォッチ停止操作をする。
【００３８】
次に、図４および図５を参照して、本実施形態における電子時計１００が実行する処理について説明する。図４は、本実施形態における電子時計１００が実行する設定処理の処理手順を示したフローチャートである。本図に示す設定処理は、図３に示す制限時間および事前報知時間の設定の際に電子時計１００が実行する処理である。
【００３９】
（ステップＳ１０１）ＣＰＵ１０１は、変数Ｎおよび変数Ｍに０を代入する。その後、ステップＳ１０２の処理に進む。
（ステップＳ１０２）ＣＰＵ１０１は、Ｎに１を加算する。その後、ステップＳ１０３の処理に進む。
（ステップＳ１０３）ＣＰＵ１０１は、第Ｎの関門の制限時間の設定を受け付ける。使用者は、入力装置１０５を操作して制限時間を設定する。その後、ステップＳ１０４の処理に進む。
【００４０】
（ステップＳ１０４）ＣＰＵ１０１は、Ｍに１を加算する。その後、ステップＳ１０５の処理に進む。
（ステップＳ１０５）ＣＰＵ１０１は、第Ｎの関門の第Ｍの事前報知時間の設定を受け付ける。使用者は、入力装置１０５を操作して第Ｍの事前報知時間を設定する。その後、ステップＳ１０６の処理に進む。
【００４１】
（ステップＳ１０６）ＣＰＵ１０１は、全ての事前報知時間を設定したか否かを判定する。具体的には、ＣＰＵ１０１は、入力装置１０５により事前報知時間の設定を終了する操作がされた場合は全ての事前報知時間を設定したと判定し、入力装置１０５により次の事前報知時間の設定をする操作がされた場合は全ての事前報知時間を設定していないと判定する。全ての事前報知時間を設定した場合はステップＳ１０７の処理に進み、全ての事前報知時間を設定していない場合はステップＳ１０４の処理に戻る。
【００４２】
（ステップＳ１０７）ＣＰＵ１０１は、設定した第Ｎの関門の制限時間と事前報知時間とをＲＡＭ１０３に書き込んで記憶する。その後、ステップＳ１０８の処理に進む。
（ステップＳ１０８）ＣＰＵ１０１は、全ての関門について制限時間と事前報知時間とを設定したか否かを判定する。具体的には、ＣＰＵ１０１は、入力装置１０５により制限時間の設定を終了する操作がされた場合は全ての関門について設定したと判定し、入力装置１０５により次の関門の設定をする操作がされた場合は全ての関門について設定していないと判定する。ＣＰＵ１０１は、全ての関門について設定した場合は設定処理を終了し、全ての関門について設定していない場合はステップＳ１０２の処理に戻る。
【００４３】
図５は、本実施形態における電子時計１００が実行する計測処理の処理手順を示したフローチャートである。本図に示す計測処理は、例えば、使用者がマラソン大会で自己タイムを計測する際等に実行する処理である。
【００４４】
（ステップＳ２０１）ＣＰＵ１０１は、ストップウォッチ計時開始操作を受け付ける。使用者は、入力装置１０５を操作してストップウォッチ計時操作を行う。ＣＰＵ１０１は、ストップウォッチ計時開始操作がされると、ストップウォッチ機能により時間の計測を開始する。その後、ステップＳ２０２の処理に進む。
（ステップＳ２０２）ＣＰＵ１０１は、変数Ｎに０を代入する。その後、ステップＳ２０３の処理に進む。
【００４５】
（ステップＳ２０３）ＣＰＵ１０１は、Ｎに１を加算する。その後、ステップＳ２０４の処理に進む。
（ステップＳ２０４）ＣＰＵ１０１は、第Ｎの関門の制限時間（もしくは、制限時刻から現時刻を減算した時間）から事前報知時間を減算した時間を、第Ｎの関門までの残時間タイマとしてセットし、タイマ機能により残時間タイマの減算を開始する。また、ＣＰＵ１０１は、フラグ事前報知を「未」に設定する。そして、ＣＰＵ１０１は、制限時間までの残時間（「第Ｎの関門の制限時間−計測時間」または「第Ｎの関門の制限時刻−現時刻」）とストップウォッチ機能による計測時間とを表示装置１０４に表示する。その後、ステップＳ２０５の処理に進む。
【００４６】
（ステップＳ２０５）ＣＰＵ１０１は、入力装置１０５においてストップウォッチ停止操作がされたか否かを判定する。ＣＰＵ１０１は、ストップウォッチ停止操作がされた場合は計測処理を終了し、ストップウォッチ停止操作がされていない場合はステップＳ２０６の処理に進む。
（ステップＳ２０６）ＣＰＵ１０１は、フラグ事前報知が「未」であるか否かを判定する。ＣＰＵ１０１は、事前報知が「未」である場合はステップＳ２０７の処理に進み、事前報知が「済」である場合はステップＳ２０９の処理に進む。
【００４７】
（ステップＳ２０７）ＣＰＵ１０１は、残時間タイマが０になったか否かを判定する。ＣＰＵ１０１は、残時間タイマが０である場合はステップＳ２０８の処理に進み、残時間タイマが０でない場合はステップＳ２０９の処理に進む。
（ステップＳ２０８）ＣＰＵ１０１は、報音装置１０６により報音を行い、フラグ事前報知を「済」に書き換える。その後、ステップＳ２０９の処理に進む。
【００４８】
（ステップＳ２０９）ＣＰＵ１０１は、入力装置１０５においてラップ時間計測操作がされたか否かを判定する。ＣＰＵ１０１は、ラップ時間計測操作がされた場合はステップＳ２１０の処理に進み、ラップ時間計測操作がされていない場合はステップＳ２０５の処理に戻る。
（ステップＳ２１０）ＣＰＵ１０１は、ストップウォッチ機能により計測したラップ時間と、タイマ機能により計測した制限時間までの残時間（もしくは制限時間を超えた時間）とをＲＡＭ１０３に記録する。その後、ステップＳ２１１の処理に進む。
【００４９】
（ステップＳ２１１）ＣＰＵ１０１は、使用者が、制限時間の設定された全ての関門を通過したか否かを判定する。具体的には、ＣＰＵ１０１は、制限時間の設定された関門の数だけラップ時間計測操作がされた場合に使用者が全ての関門を通過したと判定し、ラップ時間計測操作の数が設定された関門の数より小さい場合は使用者が全ての関門を通過していないと判定する。ＣＰＵ１０１は、使用者が全ての関門を通過した場合はステップＳ２０５の処理に戻り、使用者が全ての関門を通過していない場合はステップＳ２０３の処理に戻る。
【００５０】
上述したとおり、本実施形態では、電子時計１００は、各関門（目標地点）の制限時間と事前報知時間とを設定可能であり、制限時間から事前報知時間だけ早い時間に使用者に報知する。例えば、事前報知時間を「１０分」と「３０分」に設定すると、関門の制限時間の３０分前と、１０分前に報知される。これにより、使用者は、制限時間までの残時間（３０分もしくは１０分）を知ることができるため、努力可能な時間を認識でき完走率を高めることができる。また、本実施形態では、ＣＰＵ１０１は、各関門（目標地点）までの残時間を表示装置１０４に表示する。これにより、使用者は、関門までの残時間をしることができる。
【００５１】
（第２の実施形態）
次に、本発明の第２の実施形態について、図面を参照しながら説明する。本実施形態における電子時計１００の構成は、第１の実施形態における電子時計１００と同様の構成である。本実施形態と第１の実施形態とで異なる点は、ＣＰＵ１０１（ペース算出部、表示制御部）が、ストップウォッチ機能による計測の指示がされると、目標地点を目標時間までに通過するためのペースを算出して表示装置１０４に表示する点である。ＣＰＵ１０１は、設定された距離を制限時間（もしくは制限時刻から現時刻を減算した時間）で除算することによりペースを算出する。入力装置１０５（距離設定部）は、各目標地点までの距離を設定可能である。記憶部は、入力装置１０５により設定された各目標地点までの距離を記憶する。
【００５２】
次に、本実施形態による電子時計１００が実行する処理について説明する。図６は、本実施形態における電子時計１００が実行する設定処理の処理手順を示したフローチャートである。本図に示す設定処理は、制限時間および事前報知時間の設定の際に電子時計１００が実行する処理である。
【００５３】
ステップＳ３０１〜Ｓ３０６までの処理は、上述したステップＳ１０１〜Ｓ１０６までの処理と同様であるため、説明を省略する。
（ステップＳ３０７）ＣＰＵ１０１は、第Ｎの関門までの距離（第Ｎ−１の関門から第Ｎの関門までの距離。ただし、Ｎ＝１の場合はスタート地点から第１の関門までの距離。）の設定を受け付ける。使用者は、入力装置１０５を操作して第Ｎの関門までの距離を設定する。その後、ステップＳ３０８の処理に進む。
【００５４】
（ステップＳ３０８）ＣＰＵ１０１は、設定した第Ｎの関門の制限時間と事前報知時間と距離とをＲＡＭ１０３に書き込んで記憶する。その後、ステップＳ３０９の処理に進む。
（ステップＳ３０９）ＣＰＵ１０１は、全ての関門について制限時間と事前報知時間とを設定したか否かを判定する。具体的には、ＣＰＵ１０１は、入力装置１０５により制限時間の設定を終了する操作がされた場合は全ての関門について設定したと判定し、入力装置１０５により次の関門の設定をする操作がされた場合は全ての関門について設定していないと判定する。ＣＰＵ１０１は、全ての関門について設定した場合は設定処理を終了し、全ての関門について設定していない場合はステップＳ３０２の処理に戻る。
【００５５】
図７は、本実施形態における電子時計１００が実行する計測処理の処理手順を示したフローチャートである。本図に示す計測処理は、例えば、使用者がマラソン大会で自己タイムを計測する際等に実行する処理である。
【００５６】
ステップＳ４０１〜Ｓ４０３までの処理は、上述したステップＳ２０１〜Ｓ２０３までの処理と同様であるため、説明を省略する。
（ステップＳ４０４）ＣＰＵ１０１は、第Ｎの関門の制限時間から事前報知時間を減算した時間を、第Ｎの関門までの残時間タイマとしてセットし、タイマ機能により残時間タイマの減算を開始する。また、ＣＰＵ１０１は、フラグ事前報知を「未」に設定する。また、ＣＰＵ１０１は、第Ｎの関門までの距離を、制限時間までの残時間（「第Ｎの関門の制限時間−計測時間」または「第Ｎの関門の制限時刻−現時刻」）で除算してペースを算出する。そして、ＣＰＵ１０１は、ストップウォッチ機能による計測時間と、制限時間までの残時間（「第Ｎの関門の制限時間−計測時間」または「第Ｎの関門の制限時刻−現時刻」）と、算出したペースとを表示装置１０４に表示する。その後、ステップＳ４０５の処理に進む。
ステップＳ４０５〜Ｓ４１１までの処理は、上述したステップＳ２０５〜Ｓ２１１までの処理と同様であるため、説明を省略する。
【００５７】
上述したとおり、本実施形態では、入力装置１０５は、各関門（目標地点）間の距離の設定を受け付ける。また、ＣＰＵ１０１は、設定された距離と制限時間からペースを算出して表示装置１０４に表示する。すなわち、電子時計１００は、使用者が関門通過時にラップ時間計測操作を行うと、次の関門を制限時間内に通過するための最低ペースを表示する。使用者は、この情報をもとに残りのコースをどのようなペース配分で走行するか決めることができ、無理のない走行でかつ完走を目指す事ができる。すなわち、本実施形態によれば、第１の実施形態の効果に加えて、使用者は次の関門を制限時間内に通過するための最低ペースを知ることができる。
【００５８】
（第３の実施形態）
次に、本発明の第３の実施形態について、図面を参照しながら説明する。図８は、本実施形態における電子時計２００の構成を示したブロック図である。本実施形態における電子時計２００は、第１の実施形態における電子時計１００の構成に加えて、歩行走行検出装置２０９を備える。
【００５９】
歩行走行検出装置２０９（歩数検出部）は、加速度を検出する加速度センサを備え、使用者の歩行時または走行時における体の上下方向の振動を検出して使用者の歩数を検出する。また、入力装置２０５（歩幅設定部、距離設定部）は、使用者の歩幅と目標地点までの距離との設定を受け付ける。ＣＰＵ２０１（歩行走行距離算出部）は、設定された歩幅に検出された歩数を乗算して、使用者が歩行した距離または走行した距離である歩行走行距離を算出する。そして、ＣＰＵ２０１（残距離算出部、表示制御部）は、設定された目標地点までの距離から算出した歩行走行距離を減算して、使用者の現在位置から目標地点までの残距離を算出し、算出した残距離を表示装置２０４に表示する。
【００６０】
また、ＣＰＵ２０１（ペース算出部、表示制御部）は、目標時間までの残時間と目標地点までの残距離とから、目標時間内に目標地点を通過するための最低ペースを算出し、算出した最低ペースを表示装置２０４に表示する。電子時計２００の他の構成は、第１の実施形態における電子時計１００の構成と同様であるため、説明を省略する。
【００６１】
次に、本実施形態による電子時計２００が実行する処理について説明する。本実施形態における設定処理は、図６に示す第２の実施形態における設定処理と同様の処理手順であるため説明を省略する。図９は、本実施形態における電子時計２００が実行する計測処理の処理手順を示したフローチャートである。本図に示す計測処理は、例えば、使用者がマラソン大会で自己タイムを計測する際等に実行する処理である。
【００６２】
（ステップＳ６０１）ＣＰＵ２０１は、ストップウォッチ計時開始操作を受け付ける。使用者は、入力装置２０５を操作してストップウォッチ計時操作を行う。ＣＰＵ２０１は、ストップウォッチ計時開始操作がされると、ストップウォッチ機能により時間の計測を開始する。その後、ステップＳ６０２の処理に進む。
（ステップＳ６０２）ＣＰＵ２０１は、歩行走行検出装置２０９による歩数の検出を開始する。その後、ステップＳ６０３の処理に進む。
【００６３】
（ステップＳ６０３）ＣＰＵ２０１は、変数Ｎに０を代入する。その後、ステップＳ６０４の処理に進む。
（ステップＳ６０４）ＣＰＵ２０１は、Ｎに１を加算する。その後、ステップＳ６０５の処理に進む。
（ステップＳ６０５）ＣＰＵ２０１は、第Ｎの関門の制限時間から事前報知時間を減算した時間を、第Ｎの関門までの残時間タイマとしてセットし、タイマ機能によりタイマの減算を開始する。また、ＣＰＵ２０１は、フラグ事前報知を「未」に設定する。また、ＣＰＵ２０１は、走行距離を０とする。そして、ＣＰＵ２０１は、制限時間までの残時間（「第Ｎの関門の制限時間−計測時間」または「第Ｎの関門の制限時刻−現時刻」）とストップウォッチ機能による計測時間とを表示装置２０４に表示する。その後、ステップＳ６０６の処理に進む。
【００６４】
（ステップＳ６０６）ＣＰＵ２０１は、検出した歩数に設定された歩幅を乗算して歩行走行距離を算出する。また、ＣＰＵ２０１は、第Ｎの関門までの距離から歩行走行距離を減算した残距離を、第Ｎの関門の制限時間までの残時間（「第Ｎの関門の制限時間−計測時間」または「第Ｎの関門の制限時刻−現時刻」）で除算することにより、第Ｎの関門を制限時間までに通過するための最低ペースを算出する。そして、ＣＰＵ２０１は、第Ｎの関門までの残距離と最低ペースとを表示装置２０４に表示する。その後、ステップＳ６０７の処理に進む。
【００６５】
（ステップＳ６０７）ＣＰＵ２０１は、入力装置２０５においてストップウォッチ停止操作がされたか否かを判定する。ＣＰＵ２０１は、ストップウォッチ停止操作がされた場合は計測処理を終了し、ストップウォッチ停止操作がされていない場合はステップＳ６０８の処理に進む。
（ステップＳ６０８）ＣＰＵ２０１は、フラグ事前報知が「未」であるか否かを判定する。ＣＰＵ２０１は、事前報知が「未」である場合はステップＳ６０９の処理に進み、事前報知が「済」である場合はステップＳ６１１の処理に進む。
【００６６】
（ステップＳ６０９）ＣＰＵ２０１は、残時間のタイマが０になったか否かを判定する。ＣＰＵ２０１は、残時間のタイマが０である場合はステップＳ６１０の処理に進み、残時間のタイマが０でない場は合ステップＳ６１１の処理に進む。
（ステップＳ６１０）ＣＰＵ２０１は、報音装置２０６により報音を行い、フラグ事前報知を「済」に書き換える。その後、ステップＳ６１１の処理に進む。
【００６７】
（ステップＳ６１１）ＣＰＵ２０１は、入力装置２０５においてラップ時間計測操作がされたか否かを判定する。ＣＰＵ２０１は、ラップ時間計測操作がされた場合はステップＳ６１２の処理に進み、ラップ時間計測操作がされていない場合はステップＳ６０６の処理に戻る。
（ステップＳ６１２）ＣＰＵ２０１は、ストップウォッチ機能により計測したラップ時間とタイマ機能により計測した制限時間までの残時間（もしくは制限時間を超えた時間）とをＲＡＭ１０３に記録する。その後、ステップＳ６１３の処理に進む。
【００６８】
（ステップＳ６１３）ＣＰＵ２０１は、使用者が設定された全ての関門を通過したか否かを判定する。具体的には、ＣＰＵ２０１は、制限時間の設定された関門の数のラップ時間計測操作がされた場合に使用者が全ての関門を通過したと判定し、ラップ時間計測操作の数が設定された関門の数より小さい場合は使用者が全ての関門を通過していないと判定する。ＣＰＵ２０１は、使用者が全ての関門を通過した場合はステップＳ６０６の処理に戻り、使用者が全ての関門を通過していない場合はステップＳ６０４の処理に戻る。
【００６９】
上述したとおり、本実施形態では、入力装置２０５は、使用者の歩幅と各関門間の距離の設定を受け付ける。また、歩行走行検出装置２０９は、使用者の歩数を検出する。そして、ＣＰＵ２０１は、歩行走行検出装置２０９が検出した歩数に設定された歩幅を乗算して歩行走行距離を算出し、算出した歩行走行距離と設定された関門までの距離に基づいて関門までの残距離を算出する。また、ＣＰＵ２０１は、次の関門までの残距離と制限時間までの残時間とに基づいて、関門を制限時間内に通過するための最低ペースを算出する。そして、ＣＰＵ２０１は、算出した残距離と最低ペースとを表示装置２０４に表示する。
【００７０】
これにより、使用者のペースマネジメントを補助し、無理の無い走行と完走を両立させる。すなわち、本実施形態によれば、第２の実施形態の効果に加えて、使用者は関門までの残距離と、関門を制限時間までに通過するための最低ペースとを知ることができる。
【００７１】
なお、上述した第１の実施形態から第３の実施形態における電子時計１００または電子時計２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の実施形態について説明したが、本発明は、上記実施形態に限定されるものではなく、本発明の趣旨を逸脱しない範囲において種々の変更を加えることが可能である。
【００７４】
例えば、上述した実施形態では、ストップウォッチ修正モードにおいて目標地点までの目標時間と事前報知時間とを設定しているが、これに限らない。例えば、電子時計１００または２００は、アラームを設定するアラーム設定モードを有し、アラーム設定モードにおいて目標地点の目標時間と事前報知時間とを設定できるようにしてもよい。この場合、電子時計１００または２００は、設定したアラームが、通常のアラームであるかストップウォッチと連動して動作するストップウォッチ連動アラームであるかを設定可能にする。使用者は、目標時間と事前報知時間のアラームをストップウォッチ連動アラームに設定する。
【００７５】
ＣＰＵ１０１または２０１は、目標時間と事前報知時間がストップウォッチ連動アラームで設定されると、設定した目標時間および事前報知時間のアラームがオンであって、ストップウォッチ機能が動作中のときのみ、目標時間より事前報知時間前になると報音装置１０６または２０６により報知する。すなわち、ＣＰＵ１０１または２０１は、目標時間および事前報知時間のアラームがオンであっても、ストップウォッチ機能により時間を計測していない場合は、報音装置１０６または２０６により報知しない。また、ＣＰＵ１０１または２０１は、ストップウォッチ連動アラームの動作中と通常のアラーム（デイリーアラーム）の動作中とでそれぞれ異なるマークを表示装置１０４または２０４に表示する。
【００７６】
ストップウォッチに目標時間設定等を追加すると、様々な情報を使用者に報知できるが、事前の設定が複雑化し、操作が分からなくなる場合がある。一方で、時計のアラームは一般化した機能の一つで腕時計や目覚まし時計で操作の経験がある人が多い。アラームは一般的にデイリーアラームであり、同じ時刻に毎日報知する。このため、マラソン大会への参加のために制限時刻をアラームで利用しようと設定すると毎日報音してしまい、わずらわしいものとなってしまう。
【００７７】
そこで、ストップウォッチ連動アラームに目標時間と事前報知時間とを設定する事で、ストップウォッチが動作していない時は報音が行われないようにした。これにより、制限時刻を設定可能なストップォッチと同様な性能がだせる。また、アラームに事前報知設定機能を入れる事も可能だが、アラームのチャンネルを多く搭載し、制限時刻、制限時刻のＸ分前など複数のアラームを設定する事でも同様の効果を得ることが可能だ。
【００７８】
また、上述した実施形態では、ＣＰＵ１０１または２０１は、制限時間を時刻または時間で設定しているが、制限時間を時刻または時間いずれで設定するかを選択可能としてもよい。この場合、電子時計１００または２００は、ストップウォッチ修正モードに遷移したときに、制限時間を時刻設定にするか時間設定にするか選択可能な状態になる。例えば、ＣＰＵ１０１または２０１は、表示装置１０４または２０４に「TIME」と「HH:MM’」を点滅表示し、セットボタン（Ｃボタン）を押下する毎に「TIME」と「HH:MM’」の表示を切り替える。「TIME」は時刻、「HH:MM’」は時間設定である。どちらかが表示されている状態でセレクトボタン（Ｄボタン）を操作すると直前に表示されていた設定が有効となり次の設定事項に移行する。
【００７９】
また、上述した実施形態では、ストップウォッチ計測開始操作により、ストップウォッチ機能による計測と、タイマ機能による目標時間までの減算とを開始しているが、これに限らず、１度（１回目）のスタートボタン（Ｃボタン）押下によりタイマ機能による目標時間までの減算を開始し、さらにもう一度（２回目）のスタートボタン（Ｃボタン）押下によりストップウォッチ機能による時間の計測を開始してもよい。
【００８０】
マラソン大会のタイムにはグロス時間とネット時間がある。グロス時間とは大会のスタート号砲からの時間であり、ネット時間はスタート地点を通過した時点からの時間である。マラソン大会など参加者の多い大会では号砲から自身がスタート地点に達するまでに時間を要する場合がある。大会の正式タイムはグロス時間であり、関門の制限時間もグロス時間で管理される。しかし、個人の記録としてはネット時間を記録したい。これらを両立する為に、目標時間までの計時であるタイマ機能を開始する第１の計時開始手段と、ネット時間を計測するストップウォッチ機能の開始をする第２の計時開始手段とを設けた。
【００８１】
また、上述した実施形態では、電子機器として電子時計を例に説明したが、例えば、携帯電話機、スマートフォン等、使用者が携帯できるものであれば他の電子機器であってもよい。
【符号の説明】
【００８２】
１００，２００・・・電子時計、１０１，２０１・・・ＣＰＵ、１０２，２０２・・・ＲＯＭ、１０３，２０３・・・ＲＡＭ、１０４，２０４・・・表示装置、１０５，２０５・・・入力装置、１０６，２０６・・・報音装置、１０７，２０７・・・発振素子、１０８，２０８・・・電源、２０９・・・歩行走行検出装置
【図１】
2014106047.tif 000003
【図２】
2014106047.tif 000004
【図３】
2014106047.tif 000005
【図４】
2014106047.tif 000006
【図５】
2014106047.tif 000007
【図６】
2014106047.tif 000008
【図７】
2014106047.tif 000009
【図８】
2014106047.tif 000010
【図９】
2014106047.tif 000011